(57)【要約】【課題】ファクシミリ装置間で転送されるファクシミリデータを、ユーザー所望の場所に設置されたファクシミリ装置で確実に受け取り可能にする。【解決手段】受信側ファクシミリ装置としての複合機１は、データ転送を行う転送側ファクシミリ装置から転送されてくる転送データを受信するか否かを設定する受信可否設定部１０２と、転送側ファクシミリ装置との間でファクシミリ通信を行うファクシミリ通信部１４０と、ファクシミリ通信部１４０により転送側ファクシミリ装置とのファクシミリ通信が確立した場合に、受信可否設定部１０２によって設定された転送受信可否の内容を示す受信可否信号を、予め定められたファクシミリ通信プロトコルでの通信信号を用いて、ファクシミリ通信部１４０から転送側ファクシミリ装置に送信させる制御部１０１と、を備える。【選択図】図１
2015195447.tif 000002
【特許請求の範囲】
【請求項１】
データ転送を行う転送側ファクシミリ装置から転送されてくる転送データを受信するか否かを設定する受信可否設定部と、
前記転送側ファクシミリ装置との間でファクシミリ通信を行う受信側ファクシミリ通信部と、
前記受信側ファクシミリ通信部により前記転送側ファクシミリ装置とのファクシミリ通信が確立した場合に、前記受信可否設定部によって設定された転送受信可否の内容を示す受信可否信号を、予め定められたファクシミリ通信プロトコルでの通信信号を用いて、前記受信側ファクシミリ通信部から前記転送側ファクシミリ装置に送信させる受信側制御部と、を備えた受信側ファクシミリ装置。
【請求項２】
前記受信側制御部は、前記受信側ファクシミリ通信部に、通常のファクシミリ通信、又は前記受信可否信号を送信する通信のいずれであるかを示す通信種別信号を、前記受信可否信号と共に送信させる請求項１に記載の受信側ファクシミリ装置。
【請求項３】
前記受信可否設定部は、当該受信側ファクシミリ装置が予め定められた状態となっているか否かを判断し、当該予め定められた状態であると判断した場合に、前記転送データを転送受信可として設定する請求項１又は請求項２に記載の受信側ファクシミリ装置。
【請求項４】
前記受信可否設定部は、前記予め定められた状態として、当該受信側ファクシミリ装置の電源オン状態を用いる請求項１乃至請求項３のいずれかに記載の受信側ファクシミリ装置。
【請求項５】
電話による通話通信を行う電話通信部と、
当該受信側ファクシミリ装置を、受話不可能時に通話相手方からのメッセージを録音する留守番電話モードに設定するモード設定部とを備え、
前記受信側制御部は、当該受信側ファクシミリ装置を前記留守番電話モードで動作制御可能であり、
前記受信可否設定部は、前記予め定められた状態として、当該受信側ファクシミリ装置が前記モード設定部により前記留守番電話モードに設定されている状態を用いる請求項１乃至請求項３のいずれかに記載の受信側ファクシミリ装置。
【請求項６】
請求項１乃至請求項５のいずれかに記載の受信側ファクシミリ装置と、前記転送側ファクシミリ装置とを備え、
前記転送側ファクシミリ装置は、
前記受信側ファクシミリ装置との間でファクシミリ通信を行う転送側ファクシミリ通信部と、
前記転送側ファクシミリ通信部が前記受信可否信号を受信したときに、当該受信可否信号が示す転送データの受信可否の内容に従って、当該転送側ファクシミリ装置に、前記受信側ファクシミリ装置に対する前記データ転送を行わせるか否かを設定するデータ転送設定部と、
前記データ転送設定部により前記データ転送を行わせる設定とされている場合に、前記転送側ファクシミリ通信部に、前記受信側ファクシミリ装置に対する前記データ転送を行わせる転送側制御部と、を備えるファクシミリ通信システム。
【請求項７】
前記受信側ファクシミリ装置とのファクシミリ通信が確立しているときに、前記転送側ファクシミリ通信部が前記受信可否信号と共に通信種別信号を受信し、当該ファクシミリ通信がデータ転送の設定を行うための転送設定通信であることを当該通信種別信号が示す場合に、前記データ転送設定部は、前記受信可否信号が示す転送データの受信可否の内容に従った設定を行う請求項６に記載のファクシミリ通信システム。
【請求項８】
通信相手先としての受信側ファクシミリ装置との間でファクシミリ通信を行う転送側ファクシミリ通信部と、
前記転送側ファクシミリ通信部が、前記受信側ファクシミリ装置から、本転送側ファクシミリ装置から転送する転送データの受信可否の内容を示す受信可否信号を受信したときに、当該受信可否信号が示す転送データの受信可否の内容に従って、当該転送側ファクシミリ装置に、前記受信側ファクシミリ装置に対する前記データ転送を行わせるか否かを設定するデータ転送設定部と、
前記データ転送設定部により前記データ転送を行わせる設定とされている場合に、前記転送側ファクシミリ通信部に、前記受信側ファクシミリ装置に対する前記データ転送を行わせる転送側制御部と、を備える転送側ファクシミリ装置。
【請求項９】
前記受信側ファクシミリ装置とのファクシミリ通信が確立しているときに、前記転送側ファクシミリ通信部が前記受信可否信号と共に通信種別信号を受信し、当該ファクシミリ通信がデータ転送の設定を行うための転送設定通信であることを当該通信種別信号が示す場合に、前記データ転送設定部は、前記受信可否信号が示す転送データの受信可否の内容に従った設定を行う請求項８に記載の転送側ファクシミリ装置。
【発明の詳細な説明】
【技術分野】
【０００１】
本発明は、受信側ファクシミリ装置、ファクシミリ通信システム、及び転送側ファクシミリ装置に関し、特に、ファクシミリ装置間でファクシミリデータを転送する技術に関する。
【背景技術】
【０００２】
ファクシミリ装置においては、ファクシミリデータを受信したときに、予め転送先として設定されている他のファクシミリ装置に対して、当該受信したファクシミリデータを転送する機能を備えるものがある。例えば、下記特許文献１，２には、職場に設置されているファクシミリ装置がユーザーの帰宅後に受信したファクシミリデータを、当該ユーザーの自宅のファクシミリ装置に転送するファクシミリ装置が示されている。また、下記特許文献３には、送信機から受信機への転送のためのリダイヤル回数が一定回数に達した時は、設定された別の受信機に画情報を転送し、この転送時には、送信機が、画情報を別の受信機に転送したことを、最初に送信を試みた受信機に報知する、という技術が開示されている。
【先行技術文献】
【特許文献】
【０００３】
【特許文献１】実開平４−８５７１号公報
【特許文献２】実開平４−８５７３号公報
【特許文献３】特開平６−３０２３０号公報
【発明の概要】
【発明が解決しようとする課題】
【０００４】
しかしながら、上記特許文献１，２に示されるファクシミリ装置では、ファクシミリデータを転送する側のファクシミリ装置は、データ転送を行う設定になっていると、転送先へ必ずファクシミリデータを転送する。この場合、上記例でいえば、ユーザーが自宅から職場への出勤中に、職場のファクシミリ装置が転送対象のファクシミリデータを受信すると、当該ファクシミリデータは自宅のファクシミリ装置に転送されてしまい、ユーザーは、職場に到着後、職場では当該ファクシミリデータを受け取ることができない。
【０００５】
また、上記特許文献３に示されるファクシミリ装置の場合、最初に転送がされる受信機が自宅のファクシミリ装置であるとすると、このファクシミリ装置の電源を切れば、転送側ファクシミリ装置としての送信機から転送を試みたファクシミリデータは、別のファクシミリ装置に転送されるため、自宅のファクシミリ装置が当該ファクシミリデータを受信してしまうことによりユーザーが所望地で当該ファクシミリデータによる画像を受け取ることができない事態は避けられるが、送信機が複数のファクシミリ装置に対して何度もダイヤリングを実施する事態が生じると、その間は、転送対象となるファクシミリデータがファクシミリ装置の内蔵メモリーに保留され続けるため、大容量のメモリーが必要となり、コストが高くなるという問題がある。
【０００６】
本発明は、上記の問題を解決するためになされたもので、ファクシミリ装置間で転送されるファクシミリデータを、ユーザー所望の場所に設置されたファクシミリ装置で確実に受け取り可能にすることを目的とする。
【課題を解決するための手段】
【０００７】
本発明の一局面に係る受信側ファクシミリ装置は、データ転送を行う転送側ファクシミリ装置から転送されてくる転送データを受信するか否かを設定する受信可否設定部と、
前記転送側ファクシミリ装置との間でファクシミリ通信を行う受信側ファクシミリ通信部と、
前記受信側ファクシミリ通信部により前記転送側ファクシミリ装置とのファクシミリ通信が確立した場合に、前記受信可否設定部によって設定された転送受信可否の内容を示す受信可否信号を、予め定められたファクシミリ通信プロトコルでの通信信号を用いて、前記受信側ファクシミリ通信部から前記転送側ファクシミリ装置に送信させる受信側制御部と、を備えるものである。
【０００８】
また、本発明の更なる一局面に係るファクシミリ通信システムは、請求項１乃至請求項５のいずれかに記載の受信側ファクシミリ装置と、前記転送側ファクシミリ装置とを備え、
前記転送側ファクシミリ装置は、
前記受信側ファクシミリ装置との間でファクシミリ通信を行う転送側ファクシミリ通信部と、
前記転送側ファクシミリ通信部が前記受信可否信号を受信したときに、当該受信可否信号が示す転送データの受信可否の内容に従って、当該転送側ファクシミリ装置に、前記受信側ファクシミリ装置に対する前記データ転送を行わせるか否かを設定するデータ転送設定部と、
前記データ転送設定部により前記データ転送を行わせる設定とされている場合に、前記転送側ファクシミリ通信部に、前記受信側ファクシミリ装置に対する前記データ転送を行わせる転送側制御部と、を備える。
【０００９】
また、本発明の更なる一局面に係る転送側ファクシミリ装置は、通信相手先としての受信側ファクシミリ装置との間でファクシミリ通信を行う転送側ファクシミリ通信部と、
前記転送側ファクシミリ通信部が、前記受信側ファクシミリ装置から、本転送側ファクシミリ装置から転送する転送データの受信可否の内容を示す受信可否信号を受信したときに、当該受信可否信号が示す転送データの受信可否の内容に従って、当該転送側ファクシミリ装置に、前記受信側ファクシミリ装置に対する前記データ転送を行わせるか否かを設定するデータ転送設定部と、
前記データ転送設定部により前記データ転送を行わせる設定とされている場合に、前記転送側ファクシミリ通信部に、前記受信側ファクシミリ装置に対する前記データ転送を行わせる転送側制御部と、を備える。
【発明の効果】
【００１０】
本発明によれば、ファクシミリ装置間で転送されるファクシミリデータを、ユーザー所望の場所に設置されたファクシミリ装置で確実に受け取ることが可能になる。
【図面の簡単な説明】
【００１１】
【図１】本発明の第１実施形態に係るファクシミリ装置としての複合機の内部構成の概略を示すブロック図である。
【図２】複合機とファクス送信の相手先となるファクシミリ装置とのファクス通信処理を示す図である。
【図３】第１実施形態に係る複合機が受信側ファクシミリ装置となる場合におけるファクシミリデータ転送に関する処理を示すフローチャートである。
【図４】第１実施形態に係る複合機が受信側ファクシミリ装置となる場合におけるファクシミリデータ転送に関する処理を示すフローチャートである。
【図５】第１実施形態に係る複合機が転送側ファクシミリ装置となる場合において、受信側ファクシミリ装置に向けて、転送対象とされるファクシミリデータを転送する処理を示すフローチャートである。
【図６】本発明の第２実施形態に係るファクシミリ装置としての複合機の内部構成の概略を示すブロック図である。
【図７】第２実施形態に係る複合機が転送側ファクシミリ装置となる場合におけるファクシミリデータ転送に関する処理を示すフローチャートである。
【図８】第２実施形態に係る複合機が受信側ファクシミリ装置となる場合におけるファクシミリデータ転送に関する処理を示すフローチャートである。
【発明を実施するための形態】
【００１２】
以下、本発明の実施形態に係るファクシミリ装置、ファクシミリ通信システム、及びファクス通信プログラムについて図面を参照して説明する。最初に、本発明の第１実施形態に係るファクシミリ装置を説明する。図１は、本発明の第１実施形態に係るファクシミリ装置としての複合機の内部構成の概略を示すブロック図である。
【００１３】
第１実施形態に係る複合機１は、制御ユニット１００と、画像読取部１１０と、画像メモリー１２０と、画像形成部１３０と、ファクシミリ通信部１４０とを有する。
【００１４】
画像読取部１１０は、原稿を読み取って原稿画像を取得するスキャナー等を備える。画像読取部１１０は、例えば原稿載置台上の原稿や、搬送されてくる原稿の画像を読み取るスキャナー、及び読取済の原稿を排出する排出機構を有するＡＤＦ（Ａｕｔｏ  Ｄｏｃｕｍｅｎｔ  Ｆｅｅｄｅｒ）である。画像読取部１１０は、ファクス送信の対象とされる原稿を１枚ずつ読み取ることで、ファクス送信の対象とするデータとして、各頁の原稿のデータ（原稿画像）をその頁情報と共に頁単位で取得する。
【００１５】
画像メモリー１２０は、画像読取部１１０によって読み取られた原稿のデータ、ファクシミリ通信部１４０又は通信インターフェイス１６０により取得されたファクシミリ送信の対象となるデータ等、画像形成部１３０の印刷対象となるデータを一時的に保存する領域である。
【００１６】
画像形成部１３０は、画像読取部１１０によって読み取られた原稿のデータや、ファクシミリ通信部１４０により公衆回線を通じて他のファクシミリ装置から受信されたデータ等であって、画像メモリー１２０に記憶されているデータを読み出し、当該データを用いて画像形成（印刷）を行う。
【００１７】
ファクシミリ通信部１４０は、ファクシミリ通信に必要な諸機能を実行し、公衆回線を通じて外部のファクシミリ装置との間で画像データを送受信する。例えば、制御部１０１は、ファクス送信用に画像読取部１１０により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。なお、後述する受信側ファクシミリ装置におけるファクシミリ通信部１４０が特許請求の範囲における受信側ファクシミリ通信部の一例となり、後述する転送側ファクシミリ装置におけるファクシミリ通信部１４０が特許請求の範囲における転送側ファクシミリ通信部の一例となる。
【００１８】
また、電話通信部１８０は、公衆回線を通じて他の電話との通話通信を行う機能を実行する。
【００１９】
さらに、複合機１は、画像読取部１１０が読み取った画像の編集及び加工処理等を行う画像処理部１９０を有している。また、複合機ネットワーク接続された他のパーソナルコンピューターやサーバーとの間で各種データの通信を行うための通信インターフェイス１６０とを有している。
【００２０】
制御ユニット１００は、ＣＰＵ、ＲＯＭ及びＲＡＭ等からなり、複合機１の全体的な動作を司る。制御ユニット１００は、制御部１０１、受信可否設定部１０２、モード設定部１０３、及びデータ転送設定部１０４を備えている。なお、ＨＤＤ１７０又は図略のＲＯＭに複合機１のファクス通信プログラムが記憶されており、制御ユニット１００は、当該ファクス通信プログラムに従って動作することにより、制御部１０１（本実施形態で説明するファクシミリデータ転送処理の実行に関する機能について）、受信可否設定部１０２、モード設定部１０３、及びデータ転送設定部１０４として機能する。但し、制御部１０１、受信可否設定部１０２、モード設定部１０３、及びデータ転送設定部１０４は、当該ファクス通信プログラムに基づく動作によらず、それぞれハード回路により構成されるものとしてもよい。以下、特に触れない限り、各実施形態について同様である。
【００２１】
制御部１０１は、複合機１の全体的な動作を司る。また、制御部１０１は、後述するファクシミリデータ転送に関する処理を実行する。なお、後述する受信側ファクシミリ装置における制御部１０１が特許請求の範囲における受信側制御部の一例となり、後述する転送側ファクシミリ装置における制御部１０１が特許請求の範囲における転送側制御部の一例となる。
【００２２】
受信可否設定部１０２は、ファクシミリデータを転送してくる他のファクシミリ装置（以下、転送側ファクシミリ装置という）から公衆回線を通じて当該転送データを受信するか否かを示す受信可否を設定する。例えば、受信可否設定部１０２は、転送側ファクシミリ装置からの転送データを受信する設定とする場合は、転送受信フラグを立てて記憶しておき（転送受信フラグ＝１（ｔｒｕｅ））、一方、当該転送データを受信しない設定とする場合は、転送受信フラグを立てず（転送受信フラグ＝０（ｆａｌｓｅ））、この状態を記憶しておく。受信可否設定部１０２は、当該複合機１が受信側ファクシミリ装置として機能するために備えられている。
【００２３】
なお、上記制御部１０１は、ファクシミリ通信部１４０により転送側ファクシミリ装置とのファクシミリ通信が確立された場合に、受信可否設定部１０２によって設定された受信可否の如何を示す受信可否信号を、予め定められたファクシミリ通信プロトコルを用いて、当該複合機１から転送側ファクシミリ装置に対して送信させる。本実施形態では、上記予め定められたプロトコルとしてＴ．３０プロトコルを用い、当該プロトコルにおける通信信号であるＮＳＳ信号を、上記受信可否信号とする例を説明する。
【００２４】
また、制御部１０１は、転送側ファクシミリ装置とのファクシミリ通信時には、ファクシミリ通信部１４０から、転送側ファクシミリ装置に対して、当該装置間で行われる通信が、（１）通常のファクシミリ通信、又は（２）上記受信可否信号を送信する通信、のいずれであるかを示す通信種別信号を、上記受信可否信号と共に送信させる。
【００２５】
モード設定部１０３は、当該複合機１を留守番電話モードに設定する。留守番電話モードとは、ユーザーによる受話不可能時に電話通信部１８０が受信した通話相手方からの音声メッセージを、例えば制御ユニット１００に内蔵されるメモリーに音声データとして録音させるモードをいう。制御部１０１は、当該複合機１を留守番電話モードで動作制御する。
【００２６】
上記受信可否設定部１０２は、例えば、当該複合機１がモード設定部１０３により留守番電話モードに設定されている状態であるか否かを判断し、留守番電話モードに設定された状態であれば、上記転送受信フラグを立てる。すなわち、受信可否設定部１０２は、上記予め定められた状態を、複合機１が留守番電話モードに設定されている状態とする。なお、受信可否設定部１０２は、当該複合機１が留守番電話モードに設定されていない状態であれば、上記転送受信フラグを立てない。
【００２７】
データ転送設定部１０４は、当該複合機１が、ファクシミリデータを他のファクシミリ装置に対して転送する転送側ファクシミリ装置として機能するために備えられている。データ転送設定部１０４は、ファクシミリ通信部１４０が他のファクシミリ装置から上記受信可否信号を受信したときに、当該受信可否信号が示す転送データの受信可否の内容に従って、当該複合機１に、当該他のファクシミリ装置に対してデータ転送を行わせるか否かを設定する。すなわち、データ転送設定部１０４は、当該受信可否信号が転送受信可を示す場合は、当該受信可否信号を送信してきた他のファクシミリ装置に対して、転送対象となるファクシミリデータをファクシミリ通信部１４０から転送させるためにデータ転送フラグを立てて記憶しておき（データ転送フラグ＝１（ｔｒｕｅ））、一方、当該受信可否信号が転送受信不可を示す場合は、当該受信可否信号を送信してきた当該他のファクシミリ装置に対しては、転送対象となるファクシミリデータを転送させないために転送受信フラグを立てず（データ転送フラグ＝０（ｆａｌｓｅ））、この状態を記憶しておく。
【００２８】
データ転送設定部１０４は、他のファクシミリ装置との間でファクシミリ通信が確立しているときに、ファクシミリ通信部１４０によって上記受信可否信号と共に受信された通信種別信号が、ファクシミリ通信がデータ転送の設定を行うための転送設定通信であることを示すかを判断し、上記受信可否信号が示す転送データの受信可否の内容に従った設定を行う。通信種別信号は、ファクシミリ通信部１４０に、（ａ）通常のファクシミリ通信、又は（ｂ）受信可否信号を送信する通信のいずれであるかを示す信号である。
【００２９】
当該複合機１が転送側ファクシミリ装置として、他のファクシミリ装置から、ファクシミリ通信部１４０が転送対象となるファクシミリデータを受信したとき、制御部１０１は、データ転送設定部１０４により上記データ転送フラグが立てられていれば、ファクシミリ通信部１４０から、転送先として予め定められたファクシミリ装置であって、上記受信可否信号を送信してきたファクシミリ装置に対して、当該受信された転送対象となるファクシミリデータを転送させる。
【００３０】
次に、複合機１とファクス送信の相手先となるファクシミリ装置とのファクス通信処理を説明する。図２は、複合機１とファクス送信の相手先となるファクシミリ装置とのファクス通信処理を示す図である。
【００３１】
送信側としての複合機１はそのファクシミリ通信部１４０が（以下、当該ファクス通信処理の説明において単に複合機１という）、ユーザーによる操作部４７の操作で入力されるファクス送信指示（すなわち、ファクス送信ジョブ）に基づくダイヤリングにより発呼し、ＣＮＧ信号を送信して、相手先のファクシミリ装置に対して、複合機１がファクシミリ通信を行うファクシミリ装置であることを通知する（♯１）。
【００３２】
相手先のファクシミリ装置はそのファクシミリ通信部が（以下、当該ファクス通信処理の説明において単に相手先ファクシミリ装置という）が、受信側として上記ＣＮＧ信号を受信すると、当該相手先ファクシミリ装置はこれに対する応答信号としてのＣＥＤ信号と、自身が有するオプション機能を表す非標準機能識別信号としてのＮＳＦ信号と、受信側の装置機能（ＣＣＩＴＴ仕様等）を知らせるＤＩＳ信号とを複合機１に送り返す（♯２）。ＮＳＦ信号は、固有の標準方式ではない特殊ファシリティを通知するために当該ファクシミリ装置で用いられるＴ．３０プロトコルによるメッセージ信号である。
【００３３】
ＣＥＤ信号、ＮＳＦ信号及びＤＩＳ信号を相手先ファクシミリ装置から受信した複合機１（発呼側）は、当該複合機１のセットアップデータ（ＣＣＩＴＴ仕様等）を知らせるＤＣＳ信号と、ＮＳＦ信号に応答する非標準機能識別信号としてのＮＳＳ信号と、モデムトレーニング用のＴＣＦ信号とを、相手先ファクシミリ装置に対して送出する（♯３）。すなわち、相手先のファクシミリ装置からＮＳＦ信号により特殊ファシリティが通知されているため、自身が当該特殊ファシリティに対応する機能を有している場合には、対応可能である旨を、当該発呼側のファクシミリ装置から相手先のファクシミリ装置に対してＮＳＳ信号により通知する。本実施形態では、当該ＮＳＦ信号及びＮＳＳ信号に、後述するデータ転送に必要な情報が付加されて通信される。
【００３４】
上記ＤＣＳ信号、ＮＳＳ信号及びＴＣＦ信号を受信した相手先ファクシミリ装置は、受信成功を示すＣＦＲ信号を複合機１に返信する（♯４）。
【００３５】
送信側としての複合機１が当該ＣＦＲ信号を受信すると、当該ファクス送信ジョブでファクス送信対象とする第１頁目のデータ（ＰＩＸ）を、相手先ファクシミリ装置に対して送信する（♯５）。さらに、複合機１は、ファクス送信の対象とする他頁のデータが存在する場合は、他頁のデータが存在することを示すＭＰＳ信号を相手先ファクシミリ装置に送信する。
【００３６】
受信側としての相手先ファクシミリ装置では、受信した第１頁目のデータ（ＰＩＸ）を画像メモリーに一時的に記憶させる。そして、相手先ファクシミリ装置は、第１頁目のデータを正しく受信したことを示すＭＣＦ信号を複合機１に対して返信する（♯６）。
【００３７】
複合機１は、相手先ファクシミリ装置からＭＣＦ信号を受信すると、ファクス送信の対象とする次頁のデータがある限り次頁のデータ（ＰＩＸ）及びＭＰＳ信号を相手先ファクシミリ装置に送信する。この場合、相手先ファクシミリ装置では、受信した頁のデータ（ＰＩＸ）を画像メモリーに一時的に記憶させてＭＣＦ信号を複合機１に返信する♯６の処理を繰り返す。以降、複合機１がファクス送信の対象とする全頁のデータを相手先ファクシミリ装置に送信完了するまで、♯５及び♯６の処理が繰り返される。
【００３８】
そして、複合機１が、ファクス送信の対象とする最終頁のデータ（ＰＩＸ）を相手先ファクシミリ装置に送信したときは、データ送信を終了することを示すＥＯＰ信号を相手先ファクシミリ装置に送信する（♯７）。相手先ファクシミリ装置は、上記最終頁のデータを受信したことを示すＭＣＦ信号を複合機１に返信する（♯８）。
【００３９】
複合機１は、ＥＯＰ信号を送信した後に、相手先ファクシミリ装置から上記ＭＣＦ信号を受信すると、相手先ファクシミリ装置にＤＣＮ信号を送信して回線を遮断する（♯９）。
【００４０】
次に、第１実施形態に係る複合機１が受信側ファクシミリ装置となる場合におけるファクシミリデータ転送に関する処理を説明する。図３は、第１実施形態に係る複合機１が受信側ファクシミリ装置となる場合におけるファクシミリデータ転送に関する処理を示すフローチャートである。
【００４１】
例えば、ユーザーが複合機１に電源を投入し、受信可否設定部１０２により複合機１が電源オンの状態になっていることが検出されると（Ｓ１でＹＥＳ）、受信可否設定部１０２は、モード設定部１０３による複合機１が留守番電話モードに設定されているか否かを判断する（Ｓ２）。
【００４２】
ここで、受信可否設定部１０２は、複合機１が留守番電話モードに設定されていると判断した場合（Ｓ２でＹＥＳ）、ファクシミリ装置データの転送を行うファクシミリ装置として予め定められた他のファクシミリ装置（転送側ファクシミリ装置）から、転送対象とされるファクシミリデータを、当該受信側ファクシミリ装置としての複合機１で受信することを許可する設定とするために、転送受信フラグを転送受信フラグ＝１（ｔｒｕｅ）とする（Ｓ３）。
【００４３】
一方、受信可否設定部１０２が、複合機１が留守番電話モードに設定されていないと判断した場合（Ｓ２でＮＯ）、受信可否設定部１０２は、転送対象とされるファクシミリデータの複合機１による受信を不許可とする設定にするために、転送受信フラグを転送受信フラグ＝０（ｆａｌｓｅ）とする（Ｓ８）。
【００４４】
Ｓ３又はＳ８により転送受信フラグが設定された後、ファクシミリ通信部１４０は、上記予め定められている転送側ファクシミリ装置に対して発呼し、ＣＮＧ信号を送信する（Ｓ４）。
【００４５】
上記転送側ファクシミリ装置が当該発呼に応答してＣＥＤ信号、ＤＩＳ信号、及びＮＳＦ信号を当該複合機１に対して返信し、当該複合機１のファクシミリ通信部１４０がこれら信号を受信すると（Ｓ５）、ファクシミリ通信部１４０は、当該ＮＳＦ信号に応答してのＤＣＳ信号、更にＮＳＳ信号及びＴＣＦ信号を、転送側ファクシミリ装置に対して送信する（Ｓ６）。このとき、制御部１０１は、ＮＳＳ信号に、当該確立されているファクシミリ通信が受信可否信号を送信するための通信であることを示す内容の通信種別信号と、Ｓ３又はＳ８において設定された転送受信フラグの内容を示す受信可否信号とを含めた上で、当該ＮＳＳ信号を、ファクシミリ通信部１４０から転送側ファクシミリ装置に対して送信させる。この後、ファクシミリ通信部１４０はＤＣＮ信号を転送側ファクシミリ装置に対して送信し（Ｓ７）、当該通信を終了させる。
【００４６】
なお、上記では、受信可否設定部１０２は、複合機１が留守番電話モードに設定されていると判断した場合に（Ｓ２でＹＥＳ）、転送受信フラグ＝１（ｔｒｕｅ）としているが（Ｓ３）、これに限られず、例えば、受信可否設定部１０２が、Ｓ１で電源オンと判断した場合には、Ｓ２の処理を行わず、転送受信フラグ＝１（ｔｒｕｅ）とするようにしてもよい。或いは、複合機１において、ユーザーによる操作部４７の操作で上記データ転送を受信可能とする指示が入力されていること等の他の条件を満たす場合に、受信可否設定部１０２が、転送受信フラグ＝１（ｔｒｕｅ）とするようにしてもよい。
【００４７】
次に、第１実施形態に係る複合機１が転送側ファクシミリ装置となる場合におけるファクシミリデータ転送に関する処理を説明する。図４は、第１実施形態に係る複合機１が受信側ファクシミリ装置となる場合におけるファクシミリデータ転送に関する処理を示すフローチャートである。
【００４８】
複合機１が転送側ファクシミリ装置（以下、単に転送側ファクシミリ装置という）となる場合、図３で示した一連の処理を行って受信側ファクシミリ装置となる複合機１からの発呼（図３のＳ４）を転送側ファクシミリ装置のファクシミリ通信部１４０が受ける（Ｓ１１でＹＥＳ）。転送側ファクシミリ装置は、この発呼を受けて、受信側ファクシミリ装置との回線を開き確立する（Ｓ１２）。続いて、ファクシミリ通信部１４０は、受信側ファクシミリ装置に対して、ＣＥＤ信号と、自身が有するオプション機能を表す非標準機能識別信号としてのＤＩＳ信号と、ＮＳＦ信号を送り返す（Ｓ１３）。
【００４９】
これに応答して、受信側ファクシミリ装置が当該ＮＳＦ信号に応答してのＮＳＳ信号、更にＤＣＳ信号及びＴＣＦ信号を転送側ファクシミリ装置に返信し、転送側ファクシミリ装置のファクシミリ通信部１４０がこれら各信号を受信すると（Ｓ１４）、データ転送設定部１０４は、上記ＮＳＳ信号に含まれる通信種別信号が、当該ファクシミリ通信が上記転送設定通信であることを示すか否かを判断し（Ｓ１５）、当該通信種別信号が転送設定通信を示すものではないと判断した場合（Ｓ１５でＮＯ）、制御部１０１は、通常のファクシミリデータの受信制御を行う（Ｓ１８）。すなわち、転送側ファクシミリ装置のファクシミリ通信部１４０は、上記Ｓ１で検出した受信側ファクシミリ装置からの発呼が、通常通りにファクシミリデータを送信するための通信を示すものであるとして、受信側ファクシミリ装置に対してＣＦＲ信号を返信し、以後は、受信側ファクシミリ装置からファクシミリデータを受信するために、図２に示される♯４〜♯９の処理を行う。
【００５０】
また、データ転送設定部１０４が、通信種別信号が上記転送設定通信を示すと判断した場合（Ｓ１５でＹＥＳ）、上記ＮＳＳ信号に更に含まれる受信可否信号が、転送対象とされるファクシミリデータの受信を受信側ファクシミリ装置が許可しているか否かのいずれを示すかを判断する（Ｓ１６）。ここで、データ転送設定部１０４は、上記受信可否信号が転送対象ファクシミリデータの受信可（受信可否＝ｔｒｕｅ）を示すと判断した場合（Ｓ１６でＹＥＳ）、データ転送フラグを立てて記憶しておく（データ転送フラグ＝１（ｔｒｕｅ））。すなわち、データ転送設定部１０４は、これ以後に受信側ファクシミリ装置への転送対象となるファクシミリデータを他のファクシミリ装置から受信したとき、受信側ファクシミリ装置にファクシミリデータを転送する処理を行うデータ転送モードに、転送側ファクシミリ装置を設定する（Ｓ１７）。
【００５１】
他方、データ転送設定部１０４が、上記受信可否信号が転送データの受信不可を示すと判断した場合（Ｓ１６でＮＯ）、以後に当該受信側ファクシミリ装置への転送対象となるファクシミリデータを受信しても、データ転送フラグを立てずに記憶しておき（データ転送フラグ＝０（ｆａｌｓｅ））、これ以後に当該受信側ファクシミリ装置への転送対象とされるファクシミリデータを受信しても受信側ファクシミリ装置にファクシミリデータを転送しないように、データ転送モードの設定を解除しておく（Ｓ１８）。
【００５２】
次に、第１実施形態に係る複合機１が転送側ファクシミリ装置となる場合において、受信側ファクシミリ装置に向けて、転送対象とされるファクシミリデータを転送する処理を説明する。図５は、第１実施形態に係る複合機１が転送側ファクシミリ装置となる場合において、受信側ファクシミリ装置に向けて、転送対象とされるファクシミリデータを転送する処理を示すフローチャートである。
【００５３】
転送側ファクシミリ装置において、ファクシミリ通信部１４０が別のファクシミリ装置から、受信側ファクシミリ装置への転送対象となるファクシミリデータを受信すると（Ｓ２１でＹＥＳ）、制御部１０１は、データ転送設定部１０４のデータ転送フラグが立っているか否か、すなわち、データ転送モードに設定されているか否かを判断する（Ｓ２２）。
【００５４】
ここで、制御部１０１は、データ転送フラグが立っており、データ転送モードに設定されていると判断した場合（Ｓ２２でＹＥＳ）、ファクシミリ通信部１４０に、データ転送先としての受信側ファクシミリ装置に対して発呼を行わせる（Ｓ２３）。また、制御部１０１は、データ転送フラグが立っておらず、データ転送モードに設定されていないと判断した場合（Ｓ２２でＮＯ）、画像形成部１３０に、Ｓ２１で受信したファクシミリデータを画像形成させる（Ｓ２８）。すなわち、転送側ファクシミリ装置は、Ｓ２１で受信したファクシミリデータを転送せずに、自局で出力する。
【００５５】
そして、上記発呼に応答して受信側ファクシミリ装置から、ＣＥＤ信号、ＤＩＳ信号及びＮＳＦ信号の返信を受信すると（Ｓ２４）、ファクシミリ通信部１４０から、受信側ファクシミリ装置にＤＣＳ信号、ＮＳＳ信号及びＴＣＦ信号を送信する（Ｓ２５）。制御部１０１は、受信側ファクシミリ装置からＣＦＲ信号が返信されてくるのを待って、ファクシミリ通信部１４０により、Ｓ２１で受信された転送対象となるファクシミリデータを、図２に示した♯５〜♯７の処理を行うことにより、当該受信側ファクシミリ装置に対して送信させる（Ｓ２６）。
【００５６】
転送側ファクシミリ装置のファクシミリ通信部１４０が、転送対象ファクシミリデータの最終ページのデータを送信した後、受信側ファクシミリ装置からＭＣＦ信号を受信すると、ファクシミリ通信部１４０は、受信側ファクシミリ装置にＤＣＮ信号を送信して、ファクス通信を終了させる（Ｓ２７）。
【００５７】
このように、第１実施形態によれば、受信側ファクシミリ装置から、転送側ファクシミリ装置に対して、転送対象となるファクシミリデータを転送させるか否かを設定可能による。このため、例えば、ユーザーは職場である本社のファクシミリ装置に届いたファクシミリデータを、出張先である支社に設置されているファクシミリ装置に転送させる設定としておき、出張先の支社で当該ファクシミリデータを受信できるようにしておき、本社に帰る際には、支社において、支社のファクシミリ装置を上記受信側ファクシミリ装置として、転送側ファクシミリ装置である本社のファクシミリ装置に、転送を行わせない設定に切り替えてから帰社することで、ユーザーが本社への帰社中に、本社の転送側ファクシミリ装置から支社の受信側ファクシミリ装置にファクシミリデータが転送されてしまってユーザーが本社で当該ファクシミリデータを受け取れないという事態を回避することが可能になる。これにより、ユーザーは、当該両ファクシミリ装置間で転送されるファクシミリデータを、ユーザー所望の場所に設置されたファクシミリ装置で確実に受け取ることが可能になる。なお、ユーザーが自宅及び職場の両ファクシミリ装置によりファクシミリデータの転送を行う場合も同様である。
【００５８】
また、受信側ファクシミリ装置から転送側ファクシミリ装置に対して、ＮＳＳ信号に含めて、通信種別信号及び転送受信可否信号を送信するので、転送側ファクシミリ装置では、当該通信種別信号に基づいて、通常のファクシミリ通信か、上記転送対象となるファクシミリデータの転送を許可又は不許可にする設定を行うための通信かを区別できるので、当該転送設定に必要な通信を、ファクシミリ通信に用いられるプロトコルを用いて実現することが可能である。
【００５９】
また、受信側ファクシミリ装置においては、留守番電話モードに設定されている場合には、上記ファクシミリデータの転送受信を不許可とし、留守番電話モードに設定されていない場合に、上記ファクシミリデータの転送受信を許可するため、ユーザーが当該受信側ファクシミリ装置の設置場所にいる蓋然性が高い状態のときに、転送側ファクシミリ装置に、ファクシミリデータの転送を行わせ、ユーザーが当該受信側ファクシミリ装置の設置場所にいる蓋然性が低い状態のときには、ファクシミリデータの転送を行わせないようにすることができる。
【００６０】
また、転送側ファクシミリ装置は、ＮＳＳ信号として受信側ファクシミリ装置から受信した転送受信可否信号の示す内容に基づいて、転送対象となるファクシミリデータを転送するか否かを設定するので、受信側ファクシミリ装置からの指示に従って適時に、データ転送モードを、ファクシミリデータを転送するか否か設定することが可能である。この点からも、ユーザーは、当該両ファクシミリ装置間で転送されるファクシミリデータを、ユーザー所望の場所に設置されたファクシミリ装置で確実に受け取ることが可能になる。
【００６１】
なお、上記に示したファクシミリデータの転送処理を行う転送側ファクシミリ装置及び受信側ファクシミリ装置が本発明に係るファクシミリ通信システムの一実施形態となる。
【００６２】
次に、本発明の第２実施形態に係るファクシミリ装置、及びファクス通信プログラムについて図面を参照して説明する。図６は、本発明の第２実施形態に係るファクシミリ装置としての複合機の内部構成の概略を示すブロック図である。なお、図１に示した第１実施形態と同様の構成については説明を省略する。
【００６３】
第２実施形態に係る複合機１は、制御ユニット１００が、第１実施形態と同様に、制御ユニット１０１、受信可否設定部１０２、及びモード設定部１０３を備えるが、データ転送設定部１０４は備えられていない。
【００６４】
次に、第２実施形態に係る複合機１が転送側ファクシミリ装置となる場合におけるファクシミリデータ転送に関する処理を説明する。図７は、第２実施形態に係る複合機１が転送側ファクシミリ装置となる場合におけるファクシミリデータ転送に関する処理を示すフローチャートである。
【００６５】
複合機１が転送側ファクシミリ装置となる場合、ファクシミリ通信部１４０が、受信側ファクシミリ装置への転送対象となるファクシミリデータを受信すると（Ｓ３１でＹＥＳ）、制御部１０１は、ファクシミリ通信部１４０に、データ転送先としての受信側ファクシミリ装置に対して発呼を行わせる（Ｓ３２）。
【００６６】
そして、上記発呼に応答して受信側ファクシミリ装置から、ＣＥＤ信号、ＤＩＳ信号及びＮＳＦ信号の返信をファクシミリ通信部１４０が受信すると（Ｓ３３）、データ転送設定部１０４は、上記ＮＳＦ信号に含まれる受信可否信号が、転送対象として送信されてくるファクシミリデータの受信可を示すか否かを判断する（Ｓ３４）。
【００６７】
ここで、データ転送設定部１０４が、上記ＮＳＦ信号に含まれる受信可否信号が上記受信可を示すと判断すると（Ｓ３４でＹＥＳ）、ファクシミリ通信部１４０は、受信側ファクシミリ装置にＤＣＳ信号、ＮＳＳ信号及びＴＣＦ信号を送信し（Ｓ３５）、受信側ファクシミリ装置からＣＦＲ信号が返信されてくるのを待って、ファクシミリ通信部１４０が、Ｓ３１で受信された転送対象となるファクシミリデータを、図２に示した♯５〜♯７の処理を行うことにより、当該受信側ファクシミリ装置に対して送信する（Ｓ３６）。
【００６８】
そして、ファクシミリ通信部１４０が、転送対象ファクシミリデータの最終ページのデータを送信した後、受信側ファクシミリ装置からＭＣＦ信号を受信すると、ファクシミリ通信部１４０は、受信側ファクシミリ装置にＤＣＮ信号を送信して、ファクス通信を終了させる（Ｓ３７）。
【００６９】
一方、データ転送設定部１０４が、上記受信可否信号が上記受信不可を示すと判断した場合（Ｓ３４でＮＯ）、ファクシミリ通信部１４０は、受信側ファクシミリ装置にＤＣＮ信号を送信して、受信側ファクシミリ装置との当該ファクス通信を終了させる（Ｓ３８）。そして、制御部１０１は、画像形成部１３０に、Ｓ３１で受信したファクシミリデータを画像形成させる（Ｓ３９）。すなわち、転送側ファクシミリ装置は、Ｓ３１で受信したファクシミリデータを転送せずに、自局で出力する。
【００７０】
次に、第２実施形態に係る複合機１が受信側ファクシミリ装置となる場合におけるファクシミリデータ転送に関する処理を説明する。図８は、第２実施形態に係る複合機１が受信側ファクシミリ装置となる場合におけるファクシミリデータ転送に関する処理を示すフローチャートである。
【００７１】
複合機１が受信側ファクシミリ装置となる場合、図７で示したＳ３２の処理により転送側ファクシミリ装置からの発呼を、受信側ファクシミリ装置のファクシミリ通信部１４０が受けると（Ｓ４１でＹＥＳ）、転送側ファクシミリ装置との回線を開き確立する（Ｓ４２）。
【００７２】
続いて、受信可否設定部１０２は、転送受信フラグ＝１（ｔｒｕｅ）となっているか、転送受信フラグ＝０（ｆａｌｓｅ）となっているかを判断し（Ｓ４３）、受信可否設定部１０２は、転送受信フラグ＝１（ｔｒｕｅ）と判断した場合（Ｓ４３でＹＥＳ）、複合機１による転送ファクシミリデータの受信を許可する設定とするために、ＮＳＦ信号に転送受信可＝ｔｒｕｅを設定する（Ｓ４４）。受信可否設定部１０２による転送受信可否の設定方法は第１実施形態と同様である。
【００７３】
そして、ファクシミリ通信部１４０は、受信側ファクシミリ装置に対して、ＣＥＤ信号と、Ｓ４４で設定された内容のＮＳＦ信号と、ＤＩＳ信号とを送り返す（Ｓ４５）。
【００７４】
これに応答して、受信側ファクシミリ装置が当該ＮＳＦ信号に応答してのＮＳＳ信号、更にＤＣＳ信号及びＴＣＦ信号を返信し、転送側ファクシミリ装置のファクシミリ通信部１４０がこれら各信号を受信すると（Ｓ４６）、以後は、受信側ファクシミリ装置からファクシミリデータを受信するために、図２の♯３〜♯９の処理を行って転送対象のファクシミリデータを受信する（Ｓ４７）。この後は、転送側ファクシミリ装置から送信されてくるＤＣＮ信号を受信し、通信が終了する。
【００７５】
一方、受信可否設定部１０２が、転送受信フラグ＝０（ｆａｌｓｅ）と判断した場合（Ｓ４３でＮＯ）、複合機１による転送対象ファクシミリデータの受信を不許可の設定にするために、ＮＳＦ信号に転送受信不可＝ｆａｌｓｅを設定する（Ｓ４８）。この後は、転送側ファクシミリ装置から送信されてくるＤＣＮ信号を受信し、通信が終了する。
【００７６】
このように、第２実施形態によれば、転送側ファクシミリ装置が、ファクシミリデータ転送のための通信を開始した時に、受信側ファクシミリ装置からの返答に応じて、受信側ファクシミリ装置が当該ファクシミリデータの転送を受信許可しているか否かを判断するため、第１実施形態と同様に、ユーザーは、当該両ファクシミリ装置間で転送されるファクシミリデータを、ユーザー所望の場所に設置されたファクシミリ装置で確実に受け取ることが可能になる。
【００７７】
また、転送側ファクシミリ装置は、ＮＳＦ信号として受信側ファクシミリ装置から受信した転送受信可否信号の示す内容に基づいて、転送対象となるファクシミリデータを転送するか否かを設定するので、受信側ファクシミリ装置からの指示に従って適時にファクシミリデータを転送するか否かを設定可能である。この点からも、ユーザーは、当該両ファクシミリ装置間で転送されるファクシミリデータを、ユーザー所望の場所に設置されたファクシミリ装置で確実に受け取ることができる。
【００７８】
なお、本発明は上記実施の形態の構成に限られず種々の変形が可能である。図１乃至図８を用いて上記各実施形態に示した構成及び処理は、本発明の一実施形態に過ぎず、本発明の構成及び処理はこれに限定されるものではない。
【符号の説明】
【００７９】
１      複合機
４７    操作部
１００  制御ユニット
１０１  制御部
１０２  受信可否設定部
１０３  モード設定部
１０４  データ転送設定部
１４０  ファクシミリ通信部
１６０  通信インターフェイス
１８０  電話通信部
【図１】
2015195447.tif 000003
【図２】
2015195447.tif 000004
【図３】
2015195447.tif 000005
【図４】
2015195447.tif 000006
【図５】
2015195447.tif 000007
【図６】
2015195447.tif 000008
【図７】
2015195447.tif 000009
【図８】
2015195447.tif 000010